(57)【要約】【課題】圧縮機における信頼性の悪化を抑制しつつ、吐出温度の変動を緩やかにする冷凍サイクル装置を提供する。【解決手段】室外機制御部２００は、吐出温度センサ７１が検出する吐出温度が予め定めた規定値（例えば、１００℃）に達したら、強制的に圧縮機２１の回転数を固定値である第１所定値（例えば、１５ｒｐｓ）だけ低下させる回転数低下制御を行う。更に、回転数低下制御の後、室外機制御部２００は、吐出温度が規定値を超えてから吐出温度が規定値を下回るまでの時間を計時し、吐出温度が規定値を下回った時点で、時間に応じた制御量である第２所定値だけ圧縮機の回転数を上昇させる回転数上昇制御を行う。これにより、回転数低下制御後において、吐出温度を早期に安定させることができる。【選択図】図１
2020153600.tif 000002
【特許請求の範囲】
【請求項１】
圧縮機、凝縮器、減圧装置、蒸発器を配管で接続した冷媒回路と、
前記圧縮機から吐出される温度である吐出温度を検出する吐出温度検出手段と、
前記圧縮機の回転数を制御する制御手段と、を備え、
前記制御手段は、前記吐出温度が予め定めた規定値を上回ったら、前記圧縮機の回転数を所定値だけ低下させる回転数低下制御を行い、
前記回転数低下制御を開始してから前記吐出温度が前記規定値を下回るまでの時間を計時し、
前記回転数低下制御の後、前記時間に応じた制御量だけ前記圧縮機の回転数を増加させる回転数上昇制御を行う、冷凍サイクル装置。
【請求項２】
前記制御手段は前記吐出温度が前記規定値を上回った回数を記憶し、前記吐出温度が前記規定値を上回った回数が多くなる程、前記所定値に大きな値を設定することを特徴とする請求項１に記載の冷凍サイクル装置。
【発明の詳細な説明】
【技術分野】
【０００１】
本発明は、例えば空気調和機などの冷凍サイクル装置に関するものである。
【背景技術】
【０００２】
インバータを備えた冷凍サイクル装置では、負荷の温度と目標温度との差に応じて圧縮機の回転数を制御することにより、負荷に対応する最適な能力を得るものがある。
【０００３】
このような冷凍サイクル装置において、過負荷運転などの影響により、圧縮機の吐出温度が異常に上昇する場合がある。吐出温度が異常に上昇したまま装置の運転を継続させると、圧縮機内に充填されているオイルの分解や劣化が生じて、信頼性を悪化させる。このような問題に対応するため、圧縮機の吐出温度を検出し、吐出温度が規定値に達したら、強制的に圧縮機の回転数を所定の回転数まで低下させる技術がある（例えば、特許文献１）。
【０００４】
圧縮機の回転数を低下させることで吐出温度が下がるため、圧縮機における信頼性の悪化を抑制できる。更に、当該制御の前後での吐出温度の変動を緩やかにするための技術がある（例えば、特許文献２）。具体的には、冷凍サイクル装置は、圧縮機の吐出温度を検出して、吐出温度が規定値に達したら、それまでの単位時間当たりの吐出温度の変化量を算出する。冷凍サイクル装置は、吐出温度が規定値に達したら、強制的に圧縮機の回転数を当該変化量に応じた制御量（単位：ｒｐｓ）だけ低下させる。つまり、変化量が大きい程、規定値に対する吐出温度のオーバーシュート量が大きくなると推定し、圧縮機の回転数を低下させる制御量を大きくする。これにより、吐出温度が規定値から過剰にオーバーシュートすることを防いでいる。
【０００５】
しかし、従来技術では、吐出温度が規定値を上回る状態から早期に抜け出すという観点では不十分な対応だった。つまり、吐出温度が規定値を上回るような吐出温度が異常に上昇した状態は、圧縮機の信頼性を悪化させる要因となるため、早期に抜け出したい。ところが、従来技術では、吐出温度が規定値に達したときに圧縮機の回転数を低下させる制御量を変化量に応じて調整している。制御量を大きくすれば吐出温度が規定値を上回る状態から抜け出す時間を短縮できるのにもかかわらず、変化量が小さい場合は、圧縮機の回転数を低下させる制御量を小さくしていた。
【先行技術文献】
【特許文献】
【０００６】
【特許文献１】特開平１１−８３２１０号公報
【特許文献２】特開平７−１７４４１６号公報
【発明の概要】
【発明が解決しようとする課題】
【０００７】
本発明は、上記に鑑みてなされたものであって、圧縮機における信頼性の悪化を抑制しつつ、吐出温度の変動を緩やかにすることを目的とする。
【課題を解決するための手段】
【０００８】
上記した課題を解決し、目的を達成するために、本発明に係る冷凍サイクル装置は、圧縮機、凝縮器、減圧装置、蒸発器を配管で接続した冷媒回路と、前記圧縮機から吐出される温度である吐出温度を検出する吐出温度検出手段と、前記圧縮機の回転数を制御する制御手段と、を備える。前記制御手段は、前記吐出温度が予め定めた規定値を上回ったら、前記圧縮機の回転数を所定値だけ低下させる回転数低下制御を行う。また、前記回転数低下制御を開始してから前記吐出温度が前記規定値を下回るまでの時間を計時し、前記回転数低下制御の後、前記時間に応じた制御量だけ前記圧縮機の回転数を上昇させる回転数上昇制御を行うことを特徴とする。
【０００９】
また、本発明に係る冷凍サイクル装置は、上述した発明において、前記制御手段は、前記吐出温度が前記規定値を上回った回数を記憶し、前記吐出温度が前記規定値を上回った回数が多くなる程、前記所定値に大きな値を設定することを特徴とする。
【発明の効果】
【００１０】
本発明に係る冷凍サイクル装置によれば、圧縮機における信頼性の悪化を抑制しつつ、吐出温度の変動を緩やかにすることができる。
【図面の簡単な説明】
【００１１】
【図１】本発明に係る冷凍サイクル装置を示す冷媒回路図である。
【図２】（１）は、本発明に係る室外機制御部の制御方法を実施した場合における、吐出温度と圧縮機の回転数の時間的変化を示すグラフである。（２）は、従来の制御方法を実施した場合における、吐出温度と圧縮機の回転数の時間的変化を示すグラフである。
【発明を実施するための形態】
【００１２】
以下に、本発明に係る冷凍サイクル装置（空気調和装置）の実施の形態を図面に基づいて詳細に説明する。なお、この実施の形態によりこの発明が限定されるものではない。
【００１３】
［冷凍サイクル装置の構成］
次に、本発明に係る冷凍サイクル装置（空気調和装置）について説明する。図３は、本発明に係る冷凍サイクル装置を示す冷媒回路図である。冷凍サイクル装置１は、室内を冷暖房する空気調和装置に適用されており、図１に示すように、室外機２と、室内機５とを備えている。室外機２は、圧縮機２１、四方弁２２、室外熱交換器２３、膨張弁（減圧装置）２４及び室外機制御部２００（制御手段）を備えている。
【００１４】
圧縮機２１は、吐出部としての吐出口１８と、吸入部としての吸入口１９と、を備えている。圧縮機２１は、室外機制御部２００によって制御されることで、吸入口１９から吸入管４２及び四方弁２２を介して供給される冷媒を圧縮し、吐出口１８から、その圧縮された冷媒を吐出管４１を介して四方弁２２へ供給する。
【００１５】
四方弁２２は、吐出管４１及び吸入管４２と接続されると共に、冷媒配管４３を介して室外熱交換器２３に、冷媒配管４４を介して室内機５にそれぞれ接続されている。室内機５と室外熱交換器２３は、冷媒配管４５を介して接続されている。四方弁２２は室外機制御部２００に制御されることにより、冷凍サイクル装置１を暖房モードまたは冷房モードのどちらかに切り替える。冷房モードに切り替えられたとき四方弁２２は、吐出管４１を介して圧縮機２１から吐出された冷媒を室外熱交換器２３に供給し、室内機５から流出した冷媒を圧縮機２１に吸入管４２を介して供給する。暖房モードに切り替えられたとき四方弁２２は、吐出管４１を介して圧縮機２１から吐出された冷媒を室内機５に供給し、室外熱交換器２３から流出した冷媒を圧縮機２１に吸入管４２を介して供給する。
【００１６】
室外熱交換器２３は、冷媒配管４５を介して膨張弁２４に接続されている。室外熱交換器２３の近傍には、室外ファン２７が配置されている。室外ファン２７は、ファンモータ（図示せず）によって回転されることで、室外機２の内部へ外気を取り込み、室外熱交換器２３によって冷媒と熱交換した外気を室外機２の外部へ放出する。室外熱交換器２３は、冷房モードの場合、四方弁２２から冷媒が供給された冷媒と、室外機２の内部に取り込まれた外気とを熱交換させ、その熱交換された冷媒を膨張弁２４に供給する。室外熱交換器２３は、暖房モードの場合、膨張弁２４から冷媒が供給された冷媒と、室外機２の内部に取り込まれた外気とを熱交換させ、その熱交換された冷媒を四方弁２２に供給する。
【００１７】
膨張弁２４は、冷媒配管４５を介して室内機５に接続されている。膨張弁２４は、冷房モードの場合に、室外熱交換器２３から供給された冷媒を断熱膨張させることにより減圧し、低温低圧となった二相冷媒を室内機５に供給する。膨張弁２４は、暖房モードの場合に、室内機５から供給された冷媒を断熱膨張させることにより減圧し、低温低圧となった二相冷媒を室外熱交換器２３に供給する。さらに、膨張弁２４は、室外機制御部２００に制御されることにより、開度が調節され、暖房モードの場合、室内機５から室外熱交換器２３に供給される冷媒の流量を調節する。冷房モードの場合、室外熱交換器２３から室内機５に供給される冷媒の流量を調節する。
【００１８】
以上説明した構成の他に、室外機２の吐出管４１には、圧縮機２１から吐出される冷媒の温度（上述した吐出温度）を検出する吐出温度センサ７１が設けられている。
【００１９】
室内機５は、室内熱交換器５１、室内ファン５５及び室内機制御部５００を有する。室内ファン５５は、室内熱交換器５１の近傍に配置されており、ファンモータ（図示せず）によって回転されることで、室内機５の内部へ室内空気を取り込み、室内熱交換器５１によって冷媒と熱交換した室内空気を室内へ放出する。室内熱交換器５１は、冷媒配管４４を介して四方弁２２に、冷媒配管４５を介して室外機２の膨張弁２４とそれぞれ接続されている。室内熱交換器５１は、冷凍サイクル装置１が冷房モードに切り替えられたときに蒸発器として機能し、冷凍サイクル装置１が暖房モードに切り替えられたときに凝縮器として機能する。すなわち、室内熱交換器５１は、冷房モードの場合に、膨張弁２４から供給された低温低圧となった二相冷媒と、室内機５の内部に取り込まれた室内空気とを熱交換させ、その熱交換された室内空気を室内へ放出し、その熱交換された冷媒を四方弁２２に供給する。室内熱交換器５１は、暖房モードの場合に、四方弁２２から供給された冷媒と、室内機５の内部に取り込まれた室内空気とを熱交換させ、その熱交換された室内空気を室内へ放出し、その熱交換された冷媒を膨張弁２４に供給する。
【００２０】
以上説明した構成の他に、室内機５の図示しない吸込口付近には、室内機５の内部に流入する室内空気の温度、すなわち室温を検出する室温センサ７２が設けられている。
【００２１】
［室外機制御部の構成］
室外機制御部２００は、いわゆるマイクロコンピュータによって構成されており、図示しないＣＰＵ（Ｃｅｎｔｒａｌ  Ｐｒｏｃｅｓｓｉｎｇ  Ｕｎｉｔ）、記憶装置及び入出力装置を有する。ＣＰＵは、室外機制御部２００にインストールされるコンピュータプログラムを実行して、記憶装置及び入出力装置を制御する。さらに、ＣＰＵは、圧縮機２１、四方弁２２、膨張弁２４、バイパス弁２６及び室内機制御部５００をそれぞれ制御する。記憶装置には、コンピュータプログラムが記録されている。記憶装置には、ＣＰＵにより利用される情報が記録されている。室外機制御部２００にインストールされるコンピュータプログラムは、室外機制御部２００に複数の機能をそれぞれ実現させるための複数のコンピュータプログラムから構成されている。
【００２２】
以上、本実施例の冷凍サイクル装置１は、１つの室外機２に対応する１つの室内機５を有するシングルタイプとして構成されたが、１つの室外機２に対応する複数の室内機５を有するマルチタイプとして構成されてもよい。
【００２３】
［冷凍サイクル装置の動作］
冷凍サイクル装置１のユーザは、室内機５が配置されている室内を温度調節するときに、図示しないリモートコントローラを操作することにより、冷凍サイクル装置１を起動し、室内機制御部５００に運転条件を入力する。室内機制御部５００は、運転条件が入力されると、入力された運転条件と、室内温度とを室外機制御部２００に送信する。室外機制御部２００は、室内機制御部５００から受信した運転条件及び室内温度に基づいて、暖房運転または冷房運転のどちらかを実行する。図１には、暖房運転時における冷媒回路内の冷媒の流れを矢印で示す。
【００２４】
［冷房運転］
室外機制御部２００は、冷房運転を行う場合、四方弁２２を制御することにより、四方弁２２を冷房モードに切り替える。室外機制御部２００によって制御された圧縮機２１は、吸入管４２を介して四方弁２２から吸入したガス冷媒を圧縮する。圧縮機２１は、圧縮した高温高圧のガス冷媒を四方弁２２に吐出する。四方弁２２は、冷房モードに切り替えられているとき、圧縮機２１から吐出された高温高圧のガス冷媒を室外熱交換器２３に供給する。室外熱交換器２３は、室外機２の内部に取り込まれた外気と、高温高圧のガス冷媒との間で熱交換させることにより、高温高圧のガス冷媒を凝縮させて液化させる。室外熱交換器２３は、その高圧の液冷媒を膨張弁２４に供給する。
【００２５】
膨張弁２４は、室外熱交換器２３から供給された高圧の液冷媒を断熱膨張させて低温低圧の二相冷媒にする。膨張弁２４は、低温低圧の二相冷媒を室内機５の室内熱交換器５１に供給する。室内熱交換器５１は、膨張弁２４から供給された低温低圧の二相冷媒と、室内機５の内部に取り込まれた室内空気との間で熱交換させることにより、低温低圧の二相冷媒を蒸発させてガス化させる。室内熱交換器５１は、低圧のガス冷媒を、四方弁２２に供給する。四方弁２２は、冷房モードに切り替えられているとき、室内熱交換器５１から流出た低圧のガス冷媒を圧縮機２１に供給する。
【００２６】
［暖房運転］
室外機制御部２００は、暖房運転を行う場合、四方弁２２を制御することにより、四方弁２２を暖房モードに切り替える。室外機制御部２００によって制御された圧縮機２１は、吸入管４２を介して四方弁２２から吸入したガス冷媒を圧縮する。圧縮機２１は、圧縮された高温高圧のガス冷媒を四方弁２２に吐出する。四方弁２２は、暖房モードに切り替えられているとき、圧縮機２１から吐出した高温高圧のガス冷媒を室内機５に供給する。室内機５の室内熱交換器５１は、四方弁２２から室内機５に供給された高温高圧のガス冷媒と、室内機５の内部に取り込まれた室内空気との間で熱交換させることにより、高温高圧のガス冷媒を凝縮させて液化させる。室内熱交換器５１は、高圧の液冷媒を膨張弁２４に供給する。
【００２７】
膨張弁２４は、室内熱交換器５１から供給された高圧の液冷媒を断熱膨張させて低温低圧の二相冷媒にする。膨張弁２４は、低温低圧の二相冷媒を室外熱交換器２３に供給する。室外熱交換器２３は、室外機２の内部に取り込まれた外気と、膨張弁２４から供給された低温低圧の二相冷媒との間で熱交換させることにより、低温低圧の冷媒を蒸発させてガス化させる。室外熱交換器２３は、低圧のガス冷媒を四方弁２２に供給する。四方弁２２は、暖房モードに切り替えられているとき、室外熱交換器２３から流出した低圧のガス冷媒を圧縮機２１に供給する。
【００２８】
［室外機制御部（制御手段）による制御］
次に、室外機制御部２００（制御手段）による圧縮機２１の制御方法について詳細に説明する。冷凍サイクル装置１の運転時において、室内機制御部５００は、ユーザの操作によって入力された運転条件である設定温度と、室温センサ７２が検出した室温から、予め定められ室内機制御部５００内の図示しない記憶部に記憶された要求回転数を出力し、室外機制御部２００へ送信する。要求回転数は、室温を設定温度にするために必要な圧縮機２１の回転数であり、設定温度と室温の差に応じて定められる。室外機制御部２００は、圧縮機２１が室内機制御部５００から受信した要求回転数となるように制御する。
【００２９】
このとき、過負荷運転などの影響により、圧縮機２１の吐出温度が異常に上昇する場合がある。吐出温度が異常に上昇したまま装置の運転を継続させると、圧縮機２１内に充填されているオイルの分解や劣化が生じて、圧縮機２１の信頼性を悪化させる。そこで、室外機制御部２００は、吐出温度センサ７１が検出する吐出温度が予め定めた規定値（例えば、１００℃）に達したら、強制的に圧縮機２１の回転数を固定値である第１所定値（例えば、１５ｒｐｓ）だけ低下させる回転数低下制御を行う。これにより、早期に吐出温度を規定値より低い値にして、信頼性の悪化を低減できる。
【００３０】
なお、室外機制御部２００は、規定値よりも高い保護規定値（例えば１２０℃）に吐出温度が達した場合、強制的に圧縮機２１の回転数を０にする。すなわち、室外機制御部２００は圧縮機２１を停止させる。ここで、保護規定値は、直ちに圧縮機２１の信頼性に影響を与えるような温度であり、第１所定値は、例えば冷房運転時、吐出温度が上昇しやすい条件（例えば、高外気温時）において吐出温度が規定値から保護規定値まで上昇することを抑制できる程度の値である。すなわち、吐出温度が保護規定値に達すると、室外機制御部２００は圧縮機２１を停止させて冷凍サイクル装置１の運転を中止してしまう。これを防ぐため、吐出温度が保護規定値に達しないように規定値と第１所定値が設定される。
【００３１】
更に、室外機制御部２００は、回転数低下制御を開始してから吐出温度が規定値を下回るまでの時間（回転数低下制御動作時間）を計時する。室外機制御部２００は、回転数低下制御の後、回転数低下制御動作時間に応じた制御量である第２所定値だけ圧縮機２１の回転数を上昇させる回転数上昇制御を行う。これにより、回転数低下制御後において、吐出温度を早期に安定させることができる。
【００３２】
次に、本発明に係る室外機制御部２００（制御手段）の制御方法（回転数低下制御＋回転数上昇制御）による効果について、図２を用いて詳細に説明する。図２（１）は、本発明に係る室外機制御部２００（制御手段）の制御方法を実施した場合における、吐出温度と圧縮機２１の回転数の時間的変化を示すグラフである。図２（２）は、従来の制御方法（回転数低下制御のみ）を実施した場合における、吐出温度と圧縮機２１の回転数の時間的変化を示すグラフである。なお、図２（１）〜（２）は、それぞれ、横軸は時間（ｔ）を、縦軸は吐出温度（Ｔｄ）と圧縮機２１の回転数（Ｒｃ）をそれぞれ表している。また、図中のＴｄｌ１は規定値（例えば１０５℃）、Ｔｄｌ２は保護規定値（例えば１２０℃）、Ｔｄｌ０は回転数低下制御解除値（例えば８０℃）、ΔＴｄａ及びΔＴｄｂはアンダーシュート量、Ｒｃａは第１所定値（例えば、１５ｒｐｓ）、Ｒｃｂは第２所定値（可変値、詳細は後述する。）である。
【００３３】
まず、本発明に係る室外機制御部２００（制御手段）の制御方法（回転数低下制御＋回転数上昇制御）について説明する。図２（１）に示すように、時刻ｔ１において、吐出温度Ｔｄが規定値Ｔｄｌ１に到達したら、室外機制御部２００は、圧縮機２１の回転数Ｒｃを第１所定値Ｒｃａだけ低下させる回転数低下制御を行う。これにより、吐出温度Ｔｄは保護規定値Ｔｄｌ２に到達することなく低下する。その後、時刻ｔ２において、吐出温度Ｔｄが規定値Ｔｄｌ１を下回ったら、室外機制御部２００は、吐出温度Ｔｄが規定値Ｔｄｌ１を上回って（ｔ１）から吐出温度Ｔｄが規定値Ｔｄｌ１を下回る（ｔ２）までの時間Δｔ（＝ｔ２−ｔ１）に応じた制御量である第２所定値Ｒｃｂだけ圧縮機２１の回転数Ｒｃを上昇させる回転数上昇制御を行う。
【００３４】
第２所定値Ｒｃｂは、予め試験等により定められ、時間Δｔに対応させた第２所定値Ｒｃｂが室外機制御部２００の図示しない記憶部に記憶されている。なお、第２所定値Ｒｃｂは、第１所定値Ｒｃａ以下（Ｒｃｂ≦Ｒｃａ）である。時刻ｔ２において、第１の所定値を上回る制御量だけ圧縮機２１の回転数を上昇させると、吐出温度Ｔｄが再び規定値Ｔｄｌ１を上回る可能性が高いためである。
【００３５】
また、第２所定値Ｒｃｂは、時間Δｔが長い程、小さい値が設定される。
具体的には、室外機制御部２００は、基準時間Δｔ０を設定し、当該基準時間Δｔ０に対する時間Δｔの比率ｒ（％）を算出する。室外機制御部２００は、第１所定値Ｒｃａの（１００−ｒ）％を第２所定値Ｒｃｂに設定する。時間Δｔが長い、ということは、吐出温度Ｔｄが規定値Ｔｄｌ１に到達した後における、規定値Ｔｄｌ１に対するオーバーシュート量が多いことを示している。つまり、室内機５から要求された要求回転数は、吐出温度Ｔｄが規定値Ｔｄｌ１に到達しない最大の回転数と比較して大幅に上回っている。したがって、時刻ｔ２において、再び規定値Ｔｄｌ１を上回らないようにするため、第２所定値Ｒｃｂには小さい値が設定される。反対に、時間Δｔが短い、ということは、吐出温度Ｔｄが規定値Ｔｄｌ１に到達した後における、規定値Ｔｄｌ１に対するオーバーシュート量が少ないことを示している。つまり、室内機５から要求された要求回転数は、吐出温度Ｔｄが規定値Ｔｄｌ１に到達しない最大の回転数と比較して差が小さい。したがって、時刻ｔ２において、第２所定値Ｒｃｂには大きい値が設定されても、再び規定値Ｔｄｌ１を上回り難い。
【００３６】
以上のとおり、回転数上昇制御を行うことで、時刻ｔ２（回転数低下制御の後）における、吐出温度Ｔｄの規定値Ｔｄｌ１に対するアンダーシュート量ΔＴｄａを小さくすることができ、回転数低下制御後において、吐出温度を早期に安定させることができる。
【００３７】
続いて、従来の制御方法（回転数低下制御のみ）について説明する。図１（１）に示すように、時刻ｔ１において、吐出温度Ｔｄが規定値Ｔｄｌ１に到達したら、圧縮機２１の回転数Ｒｃを第１所定値Ｒｃａだけ低下させる回転数低下制御を行うのは、本実施例と同様である。その後、時刻ｔ３において、吐出温度Ｔｄが回転数低下制御解除値Ｔｄｌ０を下回ったら、圧縮機２１の回転数Ｒｃを回転数低下制御前の回転数に戻す（言い換えると、第１所定値Ｒｃａだけ上昇させる）。この場合、吐出温度Ｔｄの規定値Ｔｄｌ１に対するアンダーシュート量ΔＴｄｂは、本実施例における吐出温度Ｔｄの規定値Ｔｄｌ１に対するアンダーシュート量ΔＴｄａより大きくなる。
【００３８】
なお、回転数低下制御と回転数上昇制御によって、圧縮機２１の実際の回転数は、室内機５から要求された要求回転数との間で誤差が生じる。この誤差は、要求回転数が実際の回転数まで低下するか、若しくは、圧縮機２１が停止するまでは維持される。
【００３９】
また、室外機制御部２００は、空気調和機１が連続して運転している間に、吐出温度Ｔｄが規定値Ｔｄｌ１を上回った回数を記憶しておき、当該回数が多くなる程、第１所定値Ｒｃａに大きな値を設定しても良い。これにより、吐出温度Ｔｄが規定値Ｔｄｌ１を頻繁に上回ることが無くなる。よって、吐出温度Ｔｄが規定値Ｔｄｌ１を上回って（ｔ１）から吐出温度Ｔｄが規定値Ｔｄｌ１を下回る（ｔ２）までの時間Δｔを短くできるので、圧縮機２１の信頼性の悪化を低減できる。
【符号の説明】
【００４０】
１  冷凍サイクル装置
２  室外機
２００  室外機制御部
２１  圧縮機
２２  四方弁
２３  室外熱交換器
２４  膨張弁（減圧装置）
２７  室外ファン
４１  吐出管
４２  吸入管
４３  冷媒配管
４４  冷媒配管
４５  冷媒配管
５  室内機
５００  室内機制御部
５１  室内熱交換器
５５  室内ファン
７１  吐出温度センサ
７２  室温センサ
【図１】
2020153600.tif 000003
【図２】
2020153600.tif 000004